【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
酸コポリマー組成物を含む高分子中間層シートであって、前記酸コポリマー組成物が、酸コポリマー樹脂または酸コポリマー樹脂の中和物であるイオノマーを含み、
前記酸コポリマー樹脂が、２〜１０個の炭素原子を有するα−オレフィンの共重合単位と、３〜１０個の炭素原子を有する第一α，β−エチレン性不飽和カルボン酸の共重合単位を約１０〜約２５ｗｔ％と、３〜１０個の炭素原子を有する第二α，β−エチレン性不飽和カルボン酸の誘導体の共重合単位を約１５〜約３０ｗｔ％とを含み、
前記酸コポリマー樹脂が、ＡＳＴＭ法Ｄ１２３８に準拠して１９０℃、２．１６ｋｇで求めた約１〜約４００ｇ／１０分のメルトフローレートを有し、
前記酸コポリマー樹脂中の共重合単位の重量百分率の合計が、１００ｗｔ％であり、前記重量百分率が、前記酸コポリマー樹脂の総重量を基準としており、
前記第一α，β−エチレン性不飽和カルボン酸と前記第二α，β−エチレン性不飽和カルボン酸は、同一でも異なってもよい高分子中間層シート。
【請求項２】
請求項１の高分子中間層シートと、硬質シートまたは高分子フィルムとを含む安全ラミネート。
【手続補正２】
【補正対象書類名】明細書
【補正対象項目名】００８９
【補正方法】変更
【補正の内容】
【００８９】
以下の実施例は、本発明をさらに詳細に説明するために提供される。これらの実施例は、本発明を実施するために現在企図される好ましい形式を示し、本発明を例証することを意図するものであり、本発明を限定するものではない。
以下に、本発明の好ましい態様を示す。
［１］  酸コポリマー組成物を含む高分子中間層シートであって、前記酸コポリマー組成物が、酸コポリマー樹脂または酸コポリマー樹脂の中和物であるイオノマーを含み、
前記酸コポリマー樹脂が、２〜１０個の炭素原子を有するα−オレフィンの共重合単位と、３〜１０個の炭素原子を有する第一α，β−エチレン性不飽和カルボン酸の共重合単位を約１０〜約２５ｗｔ％と、３〜１０個の炭素原子を有する第二α，β−エチレン性不飽和カルボン酸の誘導体の共重合単位を約１５〜約３０ｗｔ％とを含み、
前記酸コポリマー樹脂が、ＡＳＴＭ法Ｄ１２３８に準拠して１９０℃、２．１６ｋｇで求めた約１〜約４００ｇ／１０分のメルトフローレートを有し、
前記酸コポリマー樹脂中の共重合単位の重量百分率の合計が、１００ｗｔ％であり、前記重量百分率が、前記酸コポリマー樹脂の総重量を基準としており、
前記第一α，β−エチレン性不飽和カルボン酸と前記第二α，β−エチレン性不飽和カルボン酸は、同一でも異なってもよい高分子中間層シート。
［２］  前記酸コポリマー組成物が、ＡＳＴＭ規格Ｄ４０６５に準拠して２０℃、１ｋＨｚで測定した際に０．２５超のｔａｎδを有するか、前記酸コポリマー組成物が、ＡＳＴＭ規格Ｄ４０６５に準拠して２０℃、１ｋＨｚで測定した際に１５０ＭＰａ未満の剪断弾性率を有するか、または前記酸コポリマー組成物が、５０ｗｔ％までの顔料またはフィラーを含む［１］に記載の高分子中間層シート。
［３］  前記酸コポリマー組成物が、前記イオノマーを含み、前記酸コポリマー樹脂中の最大約５０％までのカルボン酸基が中和されて、前記イオノマーを形成し、任意選択的にその対イオンがナトリウムカチオンまたは亜鉛カチオンを含む［１］に記載の高分子中間層シート。
［４］  前記酸コポリマー樹脂が、約１５〜約３０ｗｔ％の前記第二α，β−エチレン性不飽和カルボン酸の誘導体の共重合単位を含むか、または前記酸コポリマー樹脂のメルトインデックスが、１０〜１００ｇ／１０分であるか、または前記第一α，β−エチレン性不飽和カルボン酸が、メタクリル酸を含むか、または前記第二α，β−エチレン性不飽和カルボン酸の誘導体が、ブチルアクリレートである［１］に記載の高分子中間層シート。
［５］  ［１］〜［４］のいずれかの高分子中間層シートと、硬質シートまたは高分子フィルムとを含む安全ラミネート。
［６］  前記硬質シートが、ＡＳＴＭ  Ｄ６３８に準拠して求めた弾性率約６９０ＭＰａ以上を有する材料を含み、前記材料が、ガラス、金属、セラミック、およびポリマーからなる群から選択される［５］に記載の安全ラミネート。
［７］  前記フィルム層が、金属フィルム、またはポリエステル、ポリカーボネート、ポリオレフィン、ノルボルネンポリマー、ポリスチレン、スチレン−アクリレートコポリマー、アクリロニトリル−スチレンコポリマー、ポリスルホン、ポリアミド、ポリウレタン、アクリル系ポリマー、酢酸セルロース、セロハン、塩化ビニルポリマーおよびフルオロポリマーからなる群から選択される１種もしくは複数種の材料を含む高分子フィルムである［５］に記載の安全ラミネート。
［８］  １枚もしくは複数枚の他の高分子中間層シートをさらに含み、前記１枚もしくは複数枚の他の高分子中間層シートが、ポリ（ビニルアセタール）、ポリ（塩化ビニル）、ポリウレタン、エチレン／酢酸ビニルコポリマー、酸コポリマー、およびイオノマーからなる群から選択される１種もしくは複数種の材料を含む［５］に記載の安全ラミネート。
［９］  前記イオノマー組成物を含む前記少なくとも１枚の中間層シートが、２枚のガラスシート間にラミネートされるか、または前記イオノマー組成物を含む前記少なくとも１枚の中間層シートが、ガラスシートと、前記中間層シートとは反対側の面を耐摩擦性ハードコートで被覆されたポリエステルフィルムとの間にラミネートされる［５］に記載の安全ラミネート。
［１０］  前記高分子中間層シートが、少なくとも１枚の追加の副層を含み、前記追加の副層が、同一かまたは異なり、前記追加の副層が、追加の酸コポリマー樹脂、前記追加の酸コポリマー樹脂の中和物である追加のイオノマー、エチレン／酢酸ビニルコポリマー、ポリ（ビニルアセタール）、ポリウレタン、ポリ塩化ビニル、ポリエチレン、ポリオレフィンブロックエラストマー、α−オレフィンと１種もしくは複数種のα，β−エチレン性不飽和カルボン酸エステルとのコポリマー、シリコーンエラストマー、およびエポキシ樹脂からなる群から選択される１種もしくは複数種の材料を含む、多層形態である［１］〜［４］のいずれか１項に記載の高分子中間層シート。
［１１］  ２枚の追加の副層を含み、「第一副層／第二副層／第三副層」の構造を有し、前記第二副層が、前記酸コポリマー組成物を含み、前記第一副層および前記第三副層が、前記第二酸コポリマーの前記イオノマーを含む［１０］に記載の高分子中間層シート。
［１２］  前記第二酸コポリマーが、第二ａ−オレフィン、好ましくはエチレンの共重合残基と、好ましくはアクリル酸およびメタクリル酸からなる群から選択される第二α，β−エチレン性不飽和カルボン酸コモノマーを約０．１〜約３０ｗｔ％、好ましくは約２０〜約３０ｗｔ％と、好ましくはメタクリル酸グリシジル、酢酸ビニル、およびアクリル酸またはメタクリル酸のアルキルエステルからなる群から選択される１つもしくは複数の第二追加コモノマーの共重合繰り返し単位を０〜約５０ｗｔ％、好ましくは約５〜１５ｗｔ％とを含み、前記アルキル基が、１〜４個の炭素原子を含有し、前記第二酸コポリマーのメルトフローレートが、約２００ｇ／１０分未満、好ましくは約８０ｇ／１０分未満であり、前記第二酸コポリマーの前記イオノマーが、好ましくは前記第二酸コポリマー中のカルボン酸基の総数を基準として約１５％〜約３５％のカルボキシレート基を含み、前記第二酸コポリマーの前記イオノマーが、好ましくはアルカリ金属およびアルカリ土類金属のカチオン、さらに好ましくはナトリウムカチオンからなる群から選択されるカチオンを含み、並びに前記第二酸コポリマーの前記イオノマーの前記メルトフローレートが、約１〜約５０ｇ／１０分である［１１］に記載の高分子中間層シート。
［１３］  ２枚の追加の副層を含み、前記「第一副層／第二副層／第三副層」の構造を有し、前記第二副層が、前記酸コポリマー組成物を含み、前記第一副層および前記第三副層が、エチレンと酢酸ビニルのコポリマーを含む［１０］に記載の高分子中間層シート。
［１４］  ［１０］または［１３］の高分子中間層シートを含む安全ラミネート。
［１５］  前記第一副層または前記第三副層が、ジアルコキシシランおよびγ−クロロプロピルメトキシシラン、ビニルトリメトキシ−シラン、ビニルトリエトキシシラン、ビニルトリス（β−メトキシエトキシ）シラン、γ−ビニルベンジル−プロピルトリメトキシシラン、Ｎ−β−（Ｎ−ビニルベンジルアミノ−エチル）−γ−アミノプロピル−トリメトキシ−シラン、γ−メタクリロキシプロピル−トリメトキシシラン、ビニルトリアセトキシ−シラン、γ−グリシドキシプロピル−トリメトキシ−シラン、γ−グリシドキシプロピル−トリエトキシシラン、β−（３，４−エポキシシクロヘキシル）−エチルトリメトキシシラン、ビニルトリクロロシラン、γ−メルカプトプロピルメトキシ−シラン、γ−アミノプロピルトリエトキシシラン、並びにＮ−β−（アミノエチル）−γ−アミノ−プロピルトリメトキシシランからなる群から選択される１種もしくは複数種のシランカップリング剤を含み、および、
前記第一副層または前記第三副層が、任意選択的に、熱安定剤、ＵＶ吸収剤、およびヒンダードアミン系光安定剤からなる群から選択される１種もしくは複数種の添加剤をさらに含む［１４］に記載の安全ラミネート。